(57)【要約】【課題】遮蔽体１１の片上がりの問題を伴うことなく回転軸１３の回転のスピードアップを図り、遮蔽体１１を迅速にたくし上げて開閉し得るようにする。【解決手段】空間を仕切る可撓な遮蔽体１１の上縁を吊り桿１２に接合して吊るし、その吊り桿１２に取り付けられている回転軸１３から吊り降ろされる昇降コード１４によって遮蔽体１１をたくし上げて開閉する遮蔽装置において、昇降コード１４を回転軸１３と一体になって回転する巻上体１５に巻き上げる。巻上体１５は、回転軸１３の長さ方向に移動可能に回転軸１３に装着する。巻上体１５の周面には、その回転軸芯１７に対して螺旋状に傾斜した螺旋条１８を突設する。吊り桿１２には、螺旋条１８の壁面に触れる巻上体ガイド１９を突設し、回転軸１３の回転に伴って螺旋条１８の壁面が巻上体ガイド１９に押圧され、巻上体１５が回転しつつ回転軸１３の長さ方向に移動するようにする。【選択図】図５
2005139771.tif 000002
【特許請求の範囲】
【請求項１】
（ａ）  空間を仕切る可撓な遮蔽体（１１）の上縁を吊り桿（１２）に接合して吊るし、その吊り桿（１２）に取り付けられている回転軸（１３）から吊り降ろされる昇降コード（１４）によって遮蔽体（１１）をたくし上げて開閉する遮蔽装置において、
（ｂ）  吊り桿（１２）と回転軸（１３）が平行に並んでおり、
（ｃ）  巻上体（１５）が、回転軸（１３）と一体になって回転可能に、且つ、回転軸（１３）の長さ方向に移動可能に、回転軸（１３）に外嵌しており、
（ｄ）  昇降コード（１４）の一端（１６）が巻上体（１５）に接合されており、
（ｅ）  巻上体（１５）の周面には、その回転軸芯（１７）に対して螺旋状に傾斜した螺旋条（１８）が突設されており、
（ｆ）  回転軸（１３）の長さ方向に向いた螺旋条（１８）の壁面に触れる巻上体ガイド（１９）が、吊り桿（１２）から回転軸芯（１７）に向けて突出していることを特徴とする遮蔽装置。
【請求項２】
（ｇ）  螺旋条（１８）が、回転軸（１３）の長さ方向に一定のピッチ（Ｐ）をもって、回転軸（１３）の長さ方向に複数回にわたって巻回連続しており、
（ｈ）  螺旋条（１８）の壁面に触れる巻上体ガイド（１９）が、巻回連続して隣合う螺旋条（１８）と螺旋条（１８）の間の螺旋溝に嵌合する厚みを有する板材によって構成され、
（ｉ）  その螺旋溝に嵌合する巻上体ガイド（１９）の端縁が、円弧状に切り欠いて縁取られた窪み（２０）になっていることを特徴とする前掲請求項１に記載の遮蔽装置。
【請求項３】
（ｊ）  螺旋条（１８）の壁面に触れる巻上体ガイド（１９）が短柱形状の突起の形状を成し、
（ｋ）  短柱形状の巻上体ガイド（１９）が吊り桿（１２）から多数突出しており、その突出した多数の短柱形状の巻上体ガイド（１９）が、螺旋条（１８）の螺旋状に傾斜したピッチ（Ｐ）に対応する一定の間隔（Ｐ）をもって、吊り桿（１２）の長さ方向に並んでいることを特徴とする前掲請求項１に記載の遮蔽装置。
【発明の詳細な説明】
【技術分野】
【０００１】
本発明は、空間を仕切る可撓な遮蔽体１１の上縁を吊り桿１２に接合して吊るし、その吊り桿１２に取り付けられている回転軸から吊り降ろされる昇降コード１４によって遮蔽体１１をたくし上げ開閉する遮蔽装置に関するものである。
【背景技術】
【０００２】
この種の遮蔽装置としては、図１に図示する如く多数のスラットをラダーコードで連結して遮蔽体１１が構成されるベネシアンブラインド（例えば、特許文献１と２参照）、図２に図示する如く布帛や紙に一定の間隔で折り目を付けて遮蔽体が構成されるプリーツカーテン（例えば、特許文献３参照）、図３に図示する如く布帛の長さ方向に一定の間隔で昇降コード１４を挿通するリングを取り付けて遮蔽体１１が構成されるローマンシエード（例えば、特許文献４参照）、図３に図示する如く、巻き上げ可能な簾や布帛によって遮蔽体１１が構成され、吊り桿１２からＵ字状に垂れ下げた昇降コード１４によって掬い上げるように遮蔽体を下縁側から巻き上げる下巻きロールスクリーン（例えば、特許文献５参照）が知られている。
【特許文献１】特開平５−２４８１５６号公報
【特許文献２】特開２００１−２０７７５３号公報
【特許文献３】実開平４−８２２９４号公報（実用新案登録第２５４５９４７号）
【特許文献４】特開２００２−２３８７３５号公報
【特許文献５】実公昭４３−２６７７１号公報
【０００３】
何れのタイプの遮蔽装置においても、遮蔽体１１の下縁にはウエイト２１が取り付けられており、吊り桿１２からは昇降コード１４が吊り降ろされており、その昇降コード１４によって遮蔽体１１をたくし上げて開閉操作される。吊り桿１２と回転軸は平行に並んでいる。巻上体１５は回転軸に装着されており、昇降コード１４の一端は巻上体１５に接合されている。このため、回転軸が回転するとき、昇降コード１４が巻上体１５に巻き上げられ、遮蔽体１１は下縁側から昇降コード１４によってたくし上げられる。
【０００４】
巻上体１５に昇降コード１４が巻き上げられるとき、先に巻上体に巻き付いた昇降コードに、次に巻き付く昇降コードが僅かに触れ、その次に巻上体に巻き付く昇降コードが先に巻き付いた昇降コードを回転軸芯方向へと押し遣る。このため、先に巻き付いた昇降コードは、次に巻き付く昇降コードに押し遣られて回転軸の軸芯方向に順次移動する。その結果、昇降コードは、ボルトのネジ山やコイルバネのように、螺旋状に巻上体に巻き付くことになる。前記特許文献１では、そのように螺旋状に巻き付く過程において、先に巻き付いた昇降コードが、巻上体１５の周面を滑って、回転軸芯の長さ方向に移動する。前記特許文献２では、先に巻き付いた昇降コードが、巻上体１５と共に回転軸の上を滑って、回転軸芯の長さ方向に移動する。
【発明の開示】
【発明が解決しようとする課題】
【０００５】
このように従来の遮蔽装置において、巻上体１５に先に巻き付いた昇降コード１４は、巻上体１５に次に巻き付く昇降コード１４によって回転軸の軸芯方向へと押し遣られて移動する。そうであっても、回転軸の回転をスピードアップしようとする場合や、目障りにならないようにするために昇降コードを細くする場合には、先に巻き付いた昇降コードに次に巻き付く昇降コードが重なる事態が発生し易くなる。そのような事態が発生したときは、先に巻き付いた昇降コードが次に巻き付く昇降コードによって回転軸の軸芯方向へと押し遣られることはなく、順次巻上体１５に巻き付く昇降コードが二重三重に重なって大きく脹らみ、巻上体１５の１回転当たりの昇降コードの巻き付く長さが次第に大きく（長く）なる。その結果、その二重三重に重なった昇降コードの接合された遮蔽体の下縁部分が、二重三重に重ならない他の昇降コードによってたくし上げられる遮蔽体の他の下端部分よりも高くたくし上げられることになり、遮蔽体の下縁が片上がり状態になる。
【０００６】
特に、図４に図示される下巻きロールスクリーンタイプの遮蔽装置では、その遮蔽体の丈の長さ（高さ）が、図１〜図３に図示される他のタイプの遮蔽装置の遮蔽体の丈の長さと同じであっても、その巻上体１５に巻き上げられる昇降コード１４の長さが、図１〜図３に図示される他のタイプの遮蔽装置の昇降コード１４の約２倍の長さになるので、その回転軸の回転のスピードアップが切望されるものの、昇降コードが長い分だけ遮蔽体の下縁の片上がりの問題が発生し易くなるので、そのスピードアップの要望には応え難い。
【０００７】
そこで本発明は、遮蔽体の片上がりの問題を伴うことなく回転軸の回転のスピードアップを図り、遮蔽体１１を迅速にたくし上げて開閉し得るようにすることを目的とする。
【課題を解決するための手段】
【０００８】
本発明に係る遮蔽装置は、（ａ）  空間を仕切る可撓な遮蔽体１１の上縁を吊り桿１２に接合して吊るし、その吊り桿１２に取り付けられている回転軸１３から吊り降ろされる昇降コード１４によって遮蔽体１１をたくし上げて開閉するように構成され、（ｂ）  吊り桿１２と回転軸１３が平行に並んでおり、（ｃ）  巻上体１５が、回転軸１３と一体になって回転可能に、且つ、回転軸１３の長さ方向に移動可能に、回転軸１３に外嵌しており、（ｄ）  昇降コード１４の一端１６が巻上体１５に接合されており、（ｅ）  巻上体１５の周面には、その回転軸芯１７に対して螺旋状に傾斜した螺旋条１８が突設されており、（ｆ）  回転軸１３の長さ方向に向いた螺旋条１８の壁面に触れる巻上体ガイド１９が、吊り桿１２から回転軸芯１７に向けて突出しており、（ｘ）  回転軸１３の回転に伴って螺旋条１８の壁面が巻上体ガイド１９に押圧され、巻上体１５が回転しつつ回転軸１３の長さ方向に移動することを第１の特徴とする。
【０００９】
本発明に係る遮蔽装置の第２の特徴は、上記第１の特徴に加えて、（ｇ）  螺旋条１８が、回転軸１３の長さ方向に一定のピッチＰをもって、回転軸１３の長さ方向に複数回にわたって巻回連続しており、（ｈ）  螺旋条１８の壁面に触れる巻上体ガイド１９が、巻回連続して隣合う螺旋条１８と螺旋条１８の間の螺旋溝に嵌合する厚みを有する板材によって構成され、（ｉ）  その螺旋溝に嵌合する巻上体ガイド１９の端縁が、円弧状に切り欠いて縁取られた窪み２０になっている点にある。
【００１０】
本発明に係る遮蔽装置の第３の特徴は、上記第１と第２の何れかの特徴に加えて、（ｊ）  螺旋条１８の壁面に触れる巻上体ガイド１９が短柱形状の突起の形状を成し、（ｋ）  短柱形状の巻上体ガイド１９が吊り桿１２から多数突出しており、その突出した多数の短柱形状の巻上体ガイド１９が、螺旋条１８の螺旋状に傾斜したピッチＰに対応する一定の間隔（Ｐ）をもって、吊り桿１２の長さ方向に並んでいる点にある。
【発明の効果】
【００１１】
本発明において、螺旋条１８がボルトの雄ネジ山と同様の形状を成し、巻上体ガイド１９がナットの雌ネジ山と同様の形状を成するので、螺旋条１８と巻上体ガイド１９とは一種のネジ運動機構を構成し、回転軸１３の回転に伴って螺旋条１８の壁面が巻上体ガイド１９に押圧され、その結果、巻上体１５は、回転しつつ回転軸１３の長さ方向に移動することになる。このため、巻上体１５が回転軸１３と一体になって回転し、昇降コード１４が巻上体１５に巻き付くとき、先に巻き付いた昇降コードに次に巻き付く昇降コードが重なることはなく、回転軸１３を高速回転しても遮蔽体１１の片上がりの問題が発生することはない。従って、本発明は、遮蔽体１１の丈の長い遮蔽装置、特に、長い昇降コードを必要とする下巻きロールスクリーン（図４）の開閉操作に有効である。
【００１２】
螺旋条１８と巻上体ガイド１９が構成するネジ運動機構によって駆動される巻上体１５の回転軸１３の長さ方向への移動は、単に回転軸１３の上を滑るように移動するだけのことであり、その移動過程において、その移動を妨げる強い外力が螺旋条１８と巻上体ガイド１９の間に作用することはない。即ち、従来の遮蔽装置におけるように、巻上体は、それに先に巻き付いた昇降コードに次に巻き付く昇降コードが触れるだけでも回転軸芯の方向に移動する程度に、回転軸に移動し易く軸支されている。従って、螺旋条と巻上体ガイドとは、回転軸の軸芯１７の方向において僅かに触れ合う程度のものであればよく、金属ボルトや金属ナットのように強い剛体によって螺旋条や巻上体ガイドを構成する必要はない。特に、巻上体ガイド１９に関しては、それをナットの雌ネジ山のように回転軸１３の回転方向に連続した形状にする必要はなく、図５と図６に図示するように、巻上体ガイド１９は、回転軸１３の回転方向において局部的に突き出た突起であれば十分である。
【００１３】
図６に図示するように、巻上体ガイド１９を、吊り桿１２の長さ方向に螺旋条１８のピッチＰに対応する一定の間隔（Ｐ）をもって、吊り桿１２に多数突設する場合、螺旋条１８が、回転軸１３の回転方向に、回転軸１３の１〜１．２回転分（３６０°〜４３０°）だけ連続する程度の短いものであっても、回転軸１３の回転に伴って螺旋条１８の壁面が何れかの巻上体ガイド１９に触れ、その何れかの巻上体ガイド１９から螺旋条１８の壁面へと反力が作用し、その反力を受けて巻上体１５が回転軸１３の長さ方向へと移動する。このように螺旋条１８と巻上体ガイド１９に成る昇降コードの巻上機構は、螺旋条１８と巻上体ガイド１９をネジ山が長く連続した金属ボルトや金属ナットのように形成する必要はなく、又、ボルトとナットのように巻上体１５を回転して巻上体ガイド１９に螺着させる必要はなく、巻上体１５の周面に向けて巻上体ガイド１９を吊り桿１２から突き出すだけで、螺旋条１８と巻上体ガイド１９を係合させることが出来る。このため、螺旋条１８と巻上体ガイド１９が吊り桿１２に取り付け易く、又、吊り桿１２の内部構造も格別複雑になることはなく、本発明は、その実施が容易で実用的である。
【発明を実施するための最良の形態】
【００１４】
昇降コード１４の一端は、下巻きロールスクリーンでは吊り桿１２に接合され（図４）、ベネシアンブラインド、プリーツカーテンおよびローマンシエードでは遮蔽体１１の下縁部分またはウエイト２１に接合される（図１〜３）。吊り桿１２には、それらの昇降コード１４の一端の吊り桿１２との接合位置（図４）や遮蔽体１１の下縁部分との接合位置（図１〜３）に合わせてコードガイド２２が取り付けられる。昇降コード１４の他の一端１６は、そのコードガイド２２のガイド孔２３から引き出され、巻取体１５に接合される（図５）。ガイド孔２３は、昇降コード１４の振れを止めるものであるが、その振れ止めのためにはガイド孔２３は必ずしも必要でなく、吊り桿１２に２本のガイド桿（図示せず）を突設し、その２本のガイド桿の間を通って巻取体１５へと昇降コード１４が引き出されるようにしてもよい。
【００１５】
吊り桿１２は、図５に図示するように矩形（ロ字形）断面を成すものでも、又、図６に図示するように円形（○形）断面をなすものでも、或いは又、コ字形断面をなすものでもよい。回転軸１３は、矩形、円形或いはコ字形断面を成す吊り桿１２の内部空洞に格納するように吊り桿１２に取り付ければよい。巻上体ガイド１９は、その吊り桿１２の内部空洞に突設する。そのためには、巻上体ガイド１９を支持体２４に担持させ、その支持体２４と共に吊り桿１２の内部空洞に嵌め込んで取り付けるとよく、支持体２４の形状は、吊り桿１２の内部空洞の断面形状に合わせて設計される。
【００１６】
一定のピッチＰをもって回転軸１３の長さ方向に幾重にも連続している螺旋条１８に対して適用する巻上体ガイド１９は、その幾重にも連続していて隣合う螺旋条と螺旋条の間の螺旋溝に嵌合する厚みを有する板材によって構成するとよく、その吊り桿１２への取り付け個数は１個だけでもよい。その板材によって構成された巻上体ガイド１９を担持する支持体２４には、図５に図示する如く、巻上体ガイド１９の嵌合する差込孔２５を設け、その差込孔２５に巻上体ガイド１９を差込み、その先端（円弧状窪み２０）が吊り桿１２の内部空洞へと突き出るようにすればよい。支持体２４は、吊り桿１２の内部空洞内に嵌め込めばよく、その嵌め込んだ支持体の差込孔２５は吊り桿１２によって塞がれることになるので、巻上体ガイド１９が差込孔２５から抜け出ることがない。
【００１７】
吊り桿１２の長さ方向に螺旋条１８のピッチＰに対応する一定の間隔（Ｐ）をもって多数の巻上体ガイド１９を吊り桿１２に突設する場合（図６）には、支持体２４は巻上体１５と同じ程度に長いものとなる。その各巻上体ガイド１９は、短柱形状にし、螺旋条１８のピッチＰに対応する一定の間隔（Ｐ）をもって支持体２４に突設する。そのような支持体２４を吊り桿１２に装着するには、第１の方法として、その巻上体ガイド１９のピッチＰに合わせて多数の差込孔（図示せず）を吊り桿１２に穿設し、それらの差込孔（図示せず）に巻上体ガイド１９を差し込んで吊り桿１２の内部空洞内に突き出す。支持体２４を吊り桿１２に装着する第２の方法としては、支持体２４よりも若干短く、短柱形状の巻上体ガイド１９の太さに相応する幅の溝孔（図示せず）を吊り桿１２に穿設し、その溝孔（図示せず）に巻上体ガイド１９を差し込んで吊り桿１２の内部空洞内に突き出す。これらの方法では、支持体２４は吊り桿１２の外面に現れることになるが、その外面に現れる支持体２４は、接着剤やビス等によって吊り桿１２に固定する。
【００１８】
吊り桿１２の長さ方向に螺旋条１８のピッチＰに対応する一定の間隔（Ｐ）をもって多数の巻上体ガイド１９を吊り桿１２に突設する場合、螺旋条１８は、図６に図示する如く、回転軸１３の回りに３６０°〜４３０°（１回転ないし１回転半程度）連続する程度の短いものでもよい。そのような螺旋条１８は、巻上体１５の一端または両端に設けたフランジ２８の周面に突設するとよい。その螺旋条１８の巻上体１５の周面から上端縁までの突出高さは、昇降コード１４の太さ以上にし、巻上体１５に巻き付いた昇降コード１４に巻上体ガイド１９が触れ合わないようにする。
【００１９】
巻上体１５を回転軸芯１７の長さ方向に移動可能に回転軸１３に装着するには、回転軸１３に多角形断面の桿材を用い、その回転軸１３の断面形状に合わせた多角形断面の嵌合孔１８を巻上体１５に穿設し、その嵌合孔２６に回転軸１３を嵌め合わせればよい。巻上体１５を回転軸芯１７の長さ方向に移動可能に回転軸１３に装着する他の方法としては、図５と図６に図示する如く、巻上体の嵌合孔２６と回転軸１３の周面の一方または双方に、回転軸芯１７の長さ方向に続くキー溝２７を設け、そのキー溝２７に遊嵌するキー（図示せず）を嵌め込み、そのキー（図示せず）に導かれて巻上体１５が回転軸芯１７の長さ方向に移動するようにする。吊り桿１２には、回転軸１３を回転駆動するモーターや手動回転装置が取り付けられる。
【００２０】
本発明によると、巻上体１５が、回転軸１３と一体になって回転すると共に、回転軸芯１７の長さ方向に自動的に移動することになるので、巻上体１５に昇降コード１４が自動的に螺旋状に巻き付くことになる。このため、太さが１ｍｍ前後の細い昇降コード１４を使用しても、それが二重三重に重なって巻上体１５に巻き付くことはない。又、そのように細い昇降コード１４を使用することが出来るので、遮蔽体１１の吊り降ろされた状態において、昇降コード１４が目障りになることもない。そして又、そのように細い昇降コード１４を使用することが出来るので、巻上体１５を長くする必要はなく、その回転軸芯１７の長さ方向における移動距離も短くすることが出来る。
【００２１】
螺旋条１８のピッチＰは、螺旋条１８の厚み（回転軸芯１７の長さ方向における螺旋条１８の断面の寸法）と昇降コード１４の太さに応じて設定される。巻上体１５の長さ（回転軸芯１７の長さ方向における寸法）、或いは、多数の巻上体ガイド１９の突設される支持体２４（図６）の長さは、螺旋条１８のピッチＰ、巻上体１５の外径（太さ）、および、巻上体に巻き上げられる昇降コード１４の長さに応じて適宜設定される。螺旋条１８と巻上体ガイド１９がボルトとナットと同様に一種のネジ運動機構を構成するので、螺旋条１８の壁面に触れ合う巻上体ガイド１９の接触箇所は、螺旋条１８と巻上体ガイド１９の摩耗を少なくするために、螺旋条１８の壁面と同様に回転軸芯１７に対して螺旋状に傾斜した斜面にするとよい。巻上体ガイド１９は、それをナットの雌ネジ山のように回転軸１３の回転方向に連続した形状にする必要はなく、図５と図６に図示するように、回転軸１３の回転方向において局部的に突設すれば十分である。しかし、このことは、巻上体ガイドをナットの雌ネジ山のように回転軸の回転方向に連続した形状にしてはならないと言うことを意味するものではなく、特に、図５に図示する平板の端縁を円弧状に切り欠いて窪み２０を付けた板状巻上体ガイド１９では、それを２〜３枚併設し、或いは、その窪み２０を回転軸１３の回転方向に螺旋状に連続させる等、巻上体ガイド１９をナットの雌ネジ山のように回転軸１３の回転方向に螺旋状に数回連続した形状にすることも出来る。
【００２２】
遮蔽装置は、遮蔽体１１を支持するレールを取り付けることによって、天窓のように傾斜した斜面や水平な面に取り付けることも出来る。従って、本発明において、遮蔽体１１を吊り桿１２から「吊り降ろす」とは、遮蔽体１１の片側の端縁を吊り桿１２に固定し、遮蔽体１１の他の片側の端縁を吊り桿１２から離すことを意味する。同様に、昇降コード１４を回転軸１３から「吊り降ろす」とは、昇降コード１４の一端（１６）を回転軸１３（巻上体１５）に固定し、昇降コード１４の他端を回転軸１３（巻上体１５）から離すことを意味する。
【図面の簡単な説明】
【００２３】
【図１】本発明に係る遮蔽装置（ベネシアンブラインド）の側面図である。
【図２】本発明に係る遮蔽装置（プリーツカーテン）の側面図である。
【図３】本発明に係る遮蔽装置（ローマンシエード）の側面図である。
【図４】本発明に係る遮蔽装置（下巻きロールスクリーン）の側面図である。
【図５】本発明に係る遮蔽装置の昇降コード巻上箇所の斜視図である。
【図６】本発明に係る遮蔽装置の昇降コード巻上箇所の斜視図である。
【符号の説明】
【００２４】
１１：遮蔽体
１２：吊り桿
１３：回転軸
１４：昇降コード
１５：巻上体
１６：昇降コードの一端
１７：軸芯
１８：螺旋条
１９：巻上体ガイド
２０：円弧状窪み
２１：ウエイト
２２：コードガイド
２３：ガイド孔
２４：支持体
２５：差込孔
２６：嵌合孔
２７：キー溝
２８：フランジ
【図１】
2005139771.tif 000003
【図２】
2005139771.tif 000004
【図３】
2005139771.tif 000005
【図４】
2005139771.tif 000006
【図５】
2005139771.tif 000007
【図６】
2005139771.tif 000008